(57)【要約】【課題】グリップベルトとハンドストラップとの状態移行が容易で本体からの突出部位がなく係合解除が意図せず行われ難い電子機器保持具(7)を提供する。【解決手段】電子機器（50）の本体部(1)に一方が着脱可能構造を有するよう設けられた２箇所の保持部(8)(9)の双方に装着されて電子機器(50)のグリップベルトとして機能し、一方のみに装着されて電子機器のハンドストラップとして機能し、ベルト(7b)とそれが挿通され着脱可能構造を有して設けられた保持部(9)に着脱可能に装着されるフック部(7c)とを備える。フック部は、ベルトが挿通される孔(7c1)を有する基部(7k)と開口部(7c3)を有し基部から突出形成されたブラケット部(7c2)と開口部に進退するよう移動可能とされたスライダ(7c5)とスライダを開口部の開口面積を最も小さくする方向に移動させるよう付勢する付勢部材(7c6)とを備える。【選択図】図７
2011107330.tif 000002
【特許請求の範囲】
【請求項１】
電子機器の本体部に少なくとも一方が着脱可能構造を有するよう設けられた２箇所の保持部の双方に装着された状態で前記電子機器のグリップベルトとして機能し、一方のみに装着された状態で前記電子機器のハンドストラップとして機能する電子機器保持具であって、
ベルトと、前記ベルトが挿通されると共に前記着脱可能構造を有して設けられた保持部に着脱可能に装着されるフック部と、を備え、
前記フック部は、
前記ベルトが挿通される孔を有する基部と、
開口部を有し前記基部から突出するよう形成されたブラケット部と、
前記開口部内に進退するよう移動可能とされたスライダと、
前記スライダを、前記開口部の開口面積を最も小さくする方向に移動させるよう付勢する付勢部材と、を備えたことを特徴とする電子機器保持具。
【請求項２】
電子機器にベルトを有する保持具を装着して前記電子機器を保持する電子機器保持構造であって、
前記電子機器は第１の係合手段を備え、
前記保持具は前記第１の係合手段に係合する第２の係合手段を備え、
前記第１の係合手段は、前記第２の係合手段との係合を維持する位置と開放する位置との間で移動可能なロック手段と、前記ロック手段を前記維持する位置に向け付勢する第１の付勢手段を有し、
前記第２の係合手段は、前記第１の係合手段との係合を維持する位置と開放
する位置との間で移動可能なスライダと、前記スライダを前記維持する位置に付勢する第２の付勢手段と、を有し、
前記第１及び第２の係合手段は、
互いに係合している状態で前記第１及び第２の付勢手段の付勢力により係合を維持する方向に付勢されると共に、前記第１の付勢手段に抗して前記ロック手段が前記開放する位置に移動されると共に前記第２の付勢手段に抗して前記スライダが前記開放する位置に移動されて係合が開放されるよう構成されていることを特徴とする電子機器の保持構造。
【請求項３】
電子機器の本体部に少なくとも一方が着脱可能構造を有するよう設けられた２箇所の保持部の内の前記着脱可能構造を有する保持部に、前記２箇所の保持部に掛け渡されて装着された状態で前記電子機器のグリップベルトとして機能し、一方のみの保持部に装着された状態でハンドストラップとして機能する電子機器保持具、を着脱可能に装着して前記電子機器を保持する電子機器保持構造であって、
前記着脱可能構造を有する保持部は、
前記本体部の外面に開口し内方に向かって凹状に形成された挿入部と、
前記挿入部内に進退するロック片と、
前記ロック片を前記挿入部内に進入させる方向に付勢する第１の付勢部材と、を備え、
前記電子機器保持具は、
ベルトと、前記ベルトが挿通されると共に前記着脱可能構造を有する保持部に着脱可能に装着されるフック部と、を備え、
前記フック部は、
前記ベルトが挿通される孔を有する基部と、
開口部を有し前記基部から突出するよう形成されて前記挿入部に挿入可能なブラケット部と、
前記開口部内に進退するよう前記開口部の開口面と平行な方向に移動可能とされたスライダと、
前記スライダを、前記開口部の開口面積を最も小さくする方向に移動させるよう付勢する第２の付勢部材と、を備え、
前記ブラケット部を前記挿入部に挿入した状態で、前記第１の付勢部材の付勢力により前記ロック片が前記ブラケット部の前記開口部内に進入して前記ブラケット部の前記挿入部からの抜去を禁止し、
前記スライダを前記第２の付勢手段の付勢力に抗して移動させて前記ブラケット部の前記開口面積を広げると共に、前記ロック片を前記第１の付勢手段の付勢力に抗して移動させて前記ブラケット部の前記開口部から抜くことで前記ブラケット部の前記挿入部からの抜去が許容されるよう構成されていることを特徴とする電子機器の保持構造。
【請求項４】
前記本体部は、前記２箇所の保持部の間に位置し前記ロック片の一部を外部に露出させる開口部を有することを特徴とする請求項３記載の電子機器の保持構造。
【請求項５】
請求項２〜４のいずれか１項に記載の電子機器の保持構造と撮像素子とを備えた電子機器。
【発明の詳細な説明】
【技術分野】
【０００１】
本発明は、電子機器保持具、電子機器保持構造、及び電子機器に係り、特に、電子機器保持具が、電子機器を把持する際にはグリップベルトとして、また、電子機器を手で運ぶ際にはハンドストラップとして機能する電子機器保持具と、その電子機器保持具を用いた電子機器保持構造、及び電子機器保持具と電子機器保持構造とを備えた電子機器に関する。
【背景技術】
【０００２】
機器を保持する際に、グリップベルト状態からハンドストラップ状態への移行、またはその逆への移行を容易に行うことができるグリップベルト兼ハンドストラップ装置が特許文献１に開示されている。
【０００３】
具体的には、装置が例えばビデオカメラであって、ビデオカメラの後方端部側にグリップベルト本体の一端側を固定し、ビデオカメラの前方端部側において、その端部に設けた突起部とグリップベルト本体の他端側に設けた挿通部との係合及びその解除で、グリップベルト本体を着脱自在としたものである。
これによれば、グリップベルト状態からハンドストラップ状態への移行を簡単に行い、グリップベルト状態では筐体を安全かつ安定して保持ができ、また簡単な構造で安価に製作することができるという効果が得られるとされる。
【先行技術文献】
【特許文献】
【０００４】
【特許文献１】特開２００４−２３００９４号公報
【発明の概要】
【発明が解決しようとする課題】
【０００５】
ところで、特許文献１に記載された装置では、突起部は装置本体から前方（被写体側）に突出して張り出しているので、装置をケースなどに収める際のおさまりが良好とは言えない。
また、突起部が突出しているために、装置が撮像装置の場合、接写において被写体側の物体の形状によっては、その物体に干渉して撮影に支障が生じる可能性がある。
【０００６】
一方、係合の解除では、図８に示されるように、挿通部をＦ方向に回動（弾性変形）させた後Ｏ（オー）方向に抜く操作を必要とするものの、変形させる部材と抜く部材とが同じ部材（挿通部）であるので、外部からの衝撃や予期せぬ力の付与で係合が解除されてしまう可能性は否定できない。係合が意図せず解除されると装置を落下させてしまう虞があるので、係合は意図した場合にのみ解除されて安全性が一段と向上していることが望まれる。
【０００７】
そこで、本発明が解決しようとする課題は、グリップベルト状態とハンドストラップ状態との状態移行が容易であって、装置本体から突出する部位がなく、係合の解除が意図せず行われ難いことにより、一段と安全な電子機器保持具、電子機器保持構造、及び電子機器を提供することにある。
【課題を解決するための手段】
【０００８】
上記の課題を解決するために、本発明は手段として次の１）〜４）の構成を有する。
１）  電子機器（50）の本体部(1)に少なくとも一方が着脱可能構造を有するよう設けられた２箇所の保持部(8)(9)の双方に装着された状態で前記電子機器(50)のグリップベルトとして機能し、一方のみに装着された状態で前記電子機器(50)のハンドストラップとして機能する電子機器保持具(7)であって、
ベルト(7b)と、前記ベルト(7b)が挿通されると共に前記着脱可能構造を有して設けられた保持部(9)に着脱可能に装着されるフック部(7c)と、を備え、
前記フック部(7c)は、
前記ベルト(7b)が挿通される孔(7c1)を有する基部(7k)と、
開口部(7c3)を有し前記基部(7k)から突出するよう形成されたブラケット部(7c2)と、
前記開口部(7c3)内に進退するよう移動可能とされたスライダ(7c5)と、
前記スライダ(7c5)を、前記開口部(7c3)の開口面積を最も小さくする方向に移動させるよう付勢する付勢部材(7c6)と、を備えたことを特徴とする電子機器保持具(7)である。
２）  電子機器(50)にベルト(7b)を有する保持具(7)を装着して前記電子機器(50)を保持する電子機器保持構造であって、
前記電子機器(50)は第１の係合手段(9)を備え、
前記保持具(7)は前記第１の係合手段(9)に係合する第２の係合手段(7c)を備え、
前記第１の係合手段(9)は、前記第２の係合手段(7c)との係合を維持する位置と開放する位置との間で移動可能なロック手段(10)と、前記ロック手段(10)を前記維持する位置に向け付勢する第１の付勢手段(11)を有し、
前記第２の係合手段(7c)は、前記第１の係合手段(9)との係合を維持する位置と開放する位置との間で移動可能なスライダ(7c5)と、前記スライダ(7c5)を前記維持する位置に付勢する第２の付勢手段(7c6)と、を有し、
前記第１及び第２の係合手段(9)(7c)は、
互いに係合している状態で前記第１及び第２の付勢手段(11)(7c6)の付勢力により係合を維持する方向に付勢されると共に、前記第１の付勢手段(11)に抗して前記ロック手段(10)が前記開放する位置に移動されると共に前記第２の付勢手段(7c6)に抗して前記スライダ(7c5)が前記開放する位置に移動されて係合が開放されるよう構成されていることを特徴とする電子機器の保持構造である。
３）  電子機器(50)の本体部(11)に少なくとも一方が着脱可能構造を有するよう設けられた２箇所の保持部(8)(9)の内の前記着脱可能構造を有する保持部(9)に、前記２箇所の保持部(8)(9)に掛け渡されて装着された状態で前記電子機器(50)のグリップベルトとして機能し、一方のみの保持部(8)に装着された状態でハンドストラップとして機能する電子機器保持具(7)、を着脱可能に装着して前記電子機器(50)を保持する電子機器保持構造であって、
前記着脱可能構造を有する保持部(9)は、
前記本体部(1)の外面に開口し内方に向かって凹状に形成された挿入部(9a)と、
前記挿入部(9a)内に進退するロック片(10b)と、
前記ロック片(10b)を前記挿入部(9a)内に進入させる方向に付勢する第１の付勢部材(11)と、を備え、
前記電子機器保持具(7)は、
ベルト(7b)と、前記ベルト(7b)が挿通されると共に前記着脱可能構造を有する保持部(9)に着脱可能に装着されるフック部(7c)と、を備え、
前記フック部(7c)は、
前記ベルト(7b)が挿通される孔(7c1)を有する基部(7k)と、
開口部(7c3)を有し前記基部(7k)から突出するよう形成されて前記挿入部(9a)に挿入可能なブラケット部(7c2)と、
前記開口部(7c3)内に進退するよう前記開口部(7c3)の開口面と平行な方向に移動可能とされたスライダ(7c5)と、
前記スライダ(7c5)を、前記開口部(7c3)の開口面積を最も小さくする方向に移動させるよう付勢する第２の付勢部材(7c6)と、を備え、
前記ブラケット部(7c2)を前記挿入部(9a)に挿入した状態で、前記第１の付勢部材(11)の付勢力により前記ロック片(10)が前記ブラケット部(7c2)の前記開口部(7c3)内に進入して前記ブラケット部(7c2)の前記挿入部(9a)からの抜去を禁止し、
前記スライダ(7c5)を前記第２の付勢手段(7c6)の付勢力に抗して移動させて前記ブラケット部(7c2)の前記開口面積を広げると共に、前記ロック片(10)を前記第１の付勢手段(11)の付勢力に抗して移動させて前記ブラケット部(7c2)の前記開口部(7c3)から抜くことで前記ブラケット部(7c2)の前記挿入部(9a)からの抜去が許容されるよう構成されていることを特徴とする電子機器の保持構造である。
４）  前記本体部(1)は、前記２箇所の保持部(8)(9)の間に位置し前記ロック片(10)の一部を外部に露出させる開口部(9b)を有することを特徴とする３）に記載の電子機器の保持構造である。
５）  ２）〜３）のいずれかに記載の電子機器の保持構造と撮像素子(4)とを備えた電子機器(51)である。
【発明の効果】
【０００９】
本発明によれば、装置本体から突出する部位がなく、係合の解除が意図せず行われ難いことにより一段と安全である、という効果が得られる。
【図面の簡単な説明】
【００１０】
【図１】本発明の電子機器の実施例に適用されるビデオカメラを説明するための三面図である。
【図２】本発明の電子機器保持具の実施例を示す斜視図である。
【図３】本発明の電子機器の実施例の要部を説明するための部分平面図である。
【図４】本発明の電子機器の実施例に用いられる要部部品を説明するための三面図である。
【図５】本発明の電子機器保持具の実施例に用いられる要部部品を示す三面図である。
【図６】本発明の電子機器の実施例を示す三面図である。
【図７】本発明の電子機器の実施例における要部を説明するための部分断面図である。
【図８】本発明の電子機器の保持構造の実施例を説明するための斜視図である。
【図９】本発明の電子機器の保持構造の実施例を説明するための他の斜視図である。
【発明を実施するための形態】
【００１１】
本発明の実施の形態を、好ましい実施例により図１〜図９を用いて説明する。
【００１２】
図１は、本発明の電子機器保持具が取り付けられる電子機器の三面図である。
【００１３】
以下、電子機器の例としてビデオカメラ５０を説明する。
ビデオカメラ５０は、本体部１と、本体部に対して開閉可能なモニターパネル部２と、本体部１の前面側に内蔵されたレンズ部３とレンズ部３の結像を電気信号に変換する撮像素子４と、を備えている。
図１では、モニターパネル部２は本体部１側に閉じた状態を示し、レンズ部３の最前側のレンズがレンズバリア５で覆われた状態を示している。
【００１４】
本体部１の前面部の下方には、内蔵された図示しない一対のマイクそれぞれに対応して外部の音を収音するための開口部である一対の収音孔６ａ，６ｂが設けられている。
本体部１の後面の右下方側には、このビデオカメラを保持するための保持具７（図２参照）の一端側を着脱不可に支持する保持具支持部８が設けられている。
一方、本体部１の右側面１ｈｓの前下方側には、保持具７の他端側を着脱自在に保持する保持具装着部９が設けられている。
【００１５】
図２は、保持具７の斜視図である。
【００１６】
保持具７は、一端側が輪状部７ａとされ他端側にパッド部７ｐが取り付けられたベルト７ｂと、ベルト孔７ｃ１を有しそのベルト孔７ｃ１にベルト７ｂが挿通され輪状部７ａとパッド部７ｐとの間に位置するフック部７ｃと、を有して構成されている。
フック部７ｃは、基部７ｋと、基部７ｋから突出しているブラケット部７ｃ２と、を有して構成されている。ブラケット部７ｃ２は外部に露出した部分が角形のロ字状とされ、開口部７ｃ３が形成されている。
輪状部７ａは、ビデオカメラ５０の保持具固定部８に挿通されるなどして着脱不可の状態で支持される（図６参照）。
【００１７】
図２において、ベルト７ｂは、輪状部７ａとフック部７ｃとの間の内面に、一対をなす面ファスナの一方の面ファスナ７ｄ１が取り付けられている。
また、パッド部７ｐに対応する位置の内面には他方の面ファスナ７ｄ２が取り付けられている。
これにより、この面ファスナ７ｄ１，７ｄ２を着脱することで、ベルト７ｂのパッド部７ｐが取り付けられている他端側が、図２の矢印ＤＲ１方向に着脱可能になっている。
【００１８】
一対の面ファスナ７ｄ１，７ｄ２を添着する位置は、図２のＤＲ２方向に自由に調整できる。
これにより、輪状部７ａとフック部７ｃ間のベルト７ｂの長さを調節でき、この保持具７を、輪状部７ａとフック部７ｃとの双方をビデオカメラ５０に装着してビデオカメラ５０のグリップベルトとして使用する際の手の締め付け具合を調節することができる。
また、ベルト７ｂは、フック部７ｃを保持具装着部９から離脱させると、保持具支持部８のみでビデオカメラ５０に支持される。この状態では、面ファスナの添着で形成された輪の中に腕を通してハンドストラップとして使用することができるようになっている。
そして面ファスナの添着位置を図２のＤＲ２方向に変えることでハンドストラップとして使用する際に腕を通す輪の大きさを調節することができる。
【００１９】
図３（ａ），（ｂ）は、図１の右側面図における保持具装着部９近傍の拡大図である。
【００２０】
図３（ａ），（ｂ）において、保持具装着部９は、本体部１の前面側において図の上下方向の縦長に開口した挿入口９ａと、挿入口９ａに対して後方側において前後方向にやや横長に開口したノブ用孔９ｂと、を有している。
挿入口９ａには、保持具７のブラケット部７ｃ２が挿入可能になっている。
挿入口９ａの前方側内面には、挿入口９ａ内に向け突出するリブ９ａ１が形成されている。
また、挿入口９ａの前方側の縁部の土手は、後述するスライダ７ｃ５が当接する当接部９ｃとされている。
【００２１】
ブラケット部７ｃ２には、挿入口９ａへの挿入において、１つの向き（姿勢）でのみリブ９ａ１を許容する凹部７ｃ４〔図５（ａ）参照〕が設けられているので、挿入口９ａに対し挿入可能なブラケット部７ｃ２の向きはただ１つ決まる。
すなわち、図２に示すように、フック部７ｃは、ベルト孔７ｃ１が前方になる向き（姿勢）で挿入口９ａに挿入可能になっている。
【００２２】
本体部１における保持具装着部９の内部側には。図３（ａ），（ｂ）における前後方向に移動可能なロックノブ１０が配置されている。
【００２３】
図４は、このロックノブ１０の三面図である。
【００２４】
図４に示されるように、ロックノブ１０は、ノブ用孔９ｂから露出するノブ部１０ａと、移動に伴い挿入口９ａ内に進退するロック片部１０ｂとを有して形成されている。
ロック片部１０ｂの先端部は、その一面に傾斜部１０ｂ１が形成され、他面に突出片１０ｂ２が形成されている。
ノブ部１０ａには、指が良好に掛かるように平目のローレット１０ａ１が形成されている。
【００２５】
ロックノブ１０の腕部１０ｕには付勢手段であるコイルばね１１が嵌められる。このコイルばね１１は、その一端側が本体部１に位置規制され、使用状態においてロックノブ１０は前方側に付勢されるようになっている。
付勢手段の種類は限定されない。板ばね、コイルばね、等種々適用することができる。
図３（ａ）は、ロックノブ１０がコイルばね１１の付勢力に従って前方側に移動した状態を示す。この状態でロックノブ１０の前方への移動に規制がかかっている。
また、挿入口９ａには、ロック片部１０ｂが進入している。
図３（ｂ）は、コイルばね１１の付勢力に抗して後方側に移動させた状態を示している。この位置でロックノブ１０の後方への移動に規制がかっている。
挿入口９ａから、ロック片部１０ｂは退出している。
【００２６】
ロックノブ１０をコイルばね１１の付勢力に抗して後方側に移動させ得るように、ロックノブ１０には、上述のようにノブ用孔９ａから露出するノブ部１０ａが形成されている。
そして、ノブ部１０ａを指などで図１０（ａ）から図１０（ｂ）の状態に移動させることが可能になっている。指による抗力を除去すれば、付勢手段の付勢力により、ノブ部１０ａは前方側に移動する。
【００２７】
図５（ａ）〜（ｃ）は、フック部７ｃの三面図である。
【００２８】
図５（ａ）が天面図、図５（ｂ）が正面図、図５（ｃ）が右側面図であり、図５（ａ）は、図２の矢視ＹＳ１図に相当する。
【００２９】
図５（ａ）において、ブラケット部７ｃ２には、そのブラケット部７ｃ２に係合して図の上下方向（矢印ＤＲ２の方向）に移動可能なスライダ７ｃ５が備えられている。
スライダ７ｃ５は、開口部７ｃ３の一部を塞ぐ形状に形成されていて、この移動により開口部７ｃ５の開口面積を変えるようになっている。
そして、スライダ７ｃ５は、付勢手段であるコイルばね７ｃ６により、図５（ａ）の上方に常に付勢されるようになっている。
【００３０】
この構成において、スライダ７ｃ５は、コイルばね７ｃ６により図５（ａ）の上方に付勢されている自然状態で開口部７ｃ３を最も広く塞ぎ、その開口部７ｃ３の開口面積を最小にする。
また、スライダ７ｃ５が付勢力に抗して図５（ａ）の下方に移動させられた状態で、開口部７ｃ３内から一部または全部が退避して開口部７ｃ３の開口面積が最大になる。
【００３１】
図６は、実施例の電子機器を示す図であり、具体的には、実施例の保持具７をビデオカメラ５０の本体部１に取り付けた状態の電子機器５１を示す三面図である。この図６は、図１に対応して右側面図，正面図，及び底面図が示されている。
この電子機器５１は、上述のビデオカメラ５０に保持具７を取り付けたものである。
【００３２】
図６において、ビデオカメラ５０の本体部１の後方側に設けられた保持具固定部８に、保持具７の輪状部が取り付けられており、前方側に設けられた保持具装着部９に、フック部７ｃが装着されている。この状態がグリップベルト状態である。
また、保持具装着部９からフック部７ｃを外し、保持具７を保持具工程部８のみで支持されるようにすれば、ハンドストラップ状態になる。
【００３３】
次に、フック部７ｃと保持具装着部９との着脱について説明する。
【００３４】
まず、フック部７ｃの保持具装着部９への装着について図３、図５、図７などを用いて詳述する。図７は、フック部７ｃが保持具装着部９に装着された状態を示す断面図である。
【００３５】
フック部７ｃを保持具装着部９に装着するには、まず、図３（ｂ）に示すように、ロックノブ１０ａを指などでコイルばね１１の付勢力に抗して後方側に移動させる。
この状態で、挿入口９ａ内からロック片部１０ｂは退避しているので、挿入口９ａにフック部７ｃのブラケット部７ｃ２を挿入することができる。
【００３６】
挿入可能な向きは、上述のように、ブラケット部７ｃ２の凹部７ｃ４と、挿入口９ａのリブ９ａ１とが嵌合する向きである。
【００３７】
挿入口９ａへブラケット部７ｃ２を挿入したら、ロックノブ１０ａから指などを離す。
すると、ロック片部１０ｂは、コイルばね１１の付勢力によりブラケット部７ｃ２の開口部７ｃ３を貫通する方向に移動し、その傾斜部１０ｂ１が開口部７ｃ３を一部塞いでいるスライダ７ｃ５に当接する。
【００３８】
ロック片部１０ｂの移動する力は、スライダ７ｃ５をコイルばね７ｃ６の付勢力に抗するように設定されているので、スライダ７ｃ５を図５（ａ）の下方向へ押し下げる。
スライダ７ｃ５を押し下げることで開口部７ｃ３は、ロック片部１０ｂが貫通するに足る開口形状に拡張するので、ロック片部１０ｂは突出片１０ｂ２を含めて開口部７ｃ３を通過する。
【００３９】
突出片１０ｂ２が通過すると、スライダ７ｃ５は、コイルばね７ｃ６の付勢力により、天面７ｃ５ａが保持具装着部９の当接部９ｃ〔図３（ａ）参照〕に当接してそれを内側へ付勢する。
これにより、フック部７ｃは、本体部１から離れる方向に付勢されるので、開口部７ｃ３の縁部７ｃ７（図５参照）と突出片１０ｂ２とがしっかりと引っ掛かって、フック部７ｃとロック片部１０ｂとが確実に係合する。
【００４０】
この係合に対しては、ロック片部１０ｂはコイルばね１１により本体部１の前方に向け付勢され、かつ、スライダ７ｃ５はコイルばね７ｃ６によって突出片１０ｂ２が縁部７ｃ７に強く係止される方向に付勢される、という異なる方向の２つの力が寄与しているので、より確実に係合状態が維持される。
【００４１】
図８は、フック部７ｃが保持具装着部９に係合装着されている状態を示す斜視図である。分かりやすくするために保持具７を除外して示している。
【００４２】
次に、フック部７ｃの保持具装着部９からの離脱について詳述する。
【００４３】
フック部７ｃを保持具装着部９から離脱させるには、まず、フック部７ｃの基部７ｋを本体部１側に指などで押し込む。
この押し込みにより、図５（ａ），（ｃ）に示されるスライダ７ｃ５の天面７ｃ５ａが、図３（ｃ）に示される当接面１０ｂ３に当接する。
基部７ｋをさらに押し込むと、コイルばね７ｃ６の付勢力に抗して基部７ｋは押し込まれる。
【００４４】
図９は、フック部７ｃを矢印ＤＲ８の方向に押し込んだ状態を示している。分かりやすくするために保持具７を除外して示している
【００４５】
スライダ７ｃ５の天面７ｃ５ａが本体部１の当接面１０ｂ３に当接して相対的に基部７ｋ側に移動していることがわかる。
【００４６】
フック部７ｃが押し込まれることで、相対的にスライダ７ｃ５は開口部７ｃ３から退避し、開口部７ｃ３の開口面積が拡張しロック片部１０ｂが通過可能となる。
この状態では、ロック片部１０ｂは、コイルばね１１により開口部７ｃ３へ挿入される方向に付勢されているので、フック部７ｃが保持具装着部９から外れることはない。
【００４７】
次に、ロックノブ１０のノブ部１０ａを、指などでコイルばね１１の付勢力に抗する方向である本体部１の後方側に移動させると、ロック片部１０ｂが開口部７ｃ３から抜けるので、ノブ部１０ａに抗力を与えながらその後方側に移動した状態を維持させつつフック部７ｃを挿入口９ａから抜き取る。
【００４８】
以上の手順を経ることで、フック部７ｃは保持具装着部９から離脱できる。
【００４９】
すなわち、実施例において、フック部７ｃを保持具装着部９から離脱するためには、２つの異なる部材に対し異なる方向の力をそれぞれ加えること、一方の部材に対して力を加えつつ他方の部材に力を加えること、が必要になる。
従って、フック部７ｃと保持具装着部９との係合は、意図して離脱操作を行わない限り解除されないので、実施例は、保持具による装置の保持をより安全に行うことができる。
【００５０】
また、ノブ用孔９ｂは、本体部１の二箇所の保持部８，９の間に位置するよう設けられている。これにより、ロックノブ１０は、フック部７ｃを保持具装着部９に装着した状態で、外方から見てベルト７ｂに隠れる位置にある。
従って、ロックノブ１０はベルト７ｂに防がれてロックノブ１０に意図せず触ってしまう可能性は極めて低くなっており、離脱操作が意図せずに行われることをさらに効果的に防止している。
【００５１】
また、実施例では、図８で示されるように、この離脱作業の手順を使用者に分かりやすく知らせるため、実施例では、最初に行う基部７ｃの押し込み手順に対応して、基部７ｋに番号「１」（Ｍ１で示す）を表示し、次に行うロック片１０ｂの抜去方向の移動手順に対応して、ノブ用孔９ｂの近傍に移動方向を示す三角マークと番号「２」（Ｍ２）とを表示している。
【００５２】
上述したように、実施例によれば、保持具７を着脱可能に装着する保持具装着部９を本体部１において突出させずに設けることができるので、本体部１の表面形状をほぼフラットな状態にすることができる。
これにより、本体部１を有する装置をケースなどに収まりよく良好に収納することができ、また、装置が撮像装置の場合、接写において被写体側の物体に干渉する可能性が極めて少ないので、良好な撮影をすることができる。
【００５３】
保持具装着部９からの保持具７の離脱においては、力を付与する部材が独立した別部材（フック部７ｃとロックノブ１０）であるので、意図せず離脱が行われる可能性が大変少なくなっている。
【００５４】
離脱のために付与が必要な二つの力の方向も、最初の手順では、基部７ｋを本体部１へ押し込む方向であり、次の手順では、ロックノブ１０を本体部１の前方に移動させる方向であるので、二つの力の方向は異なり、両者は９０°ずれている。
【００５５】
また、いずれの力も、付勢手段７ｃ６，１１により通常付勢されている方向とは反対の方向に、その付勢力に抗して付与する必要があるので、離脱が容易には行われないようになっている。
【００５６】
本発明の実施例は、上述した構成及び手順に限定されるものではなく、本発明の要旨を逸脱しない範囲において変形例としてもよいのは言うまでもない。
【符号の説明】
【００５７】
１  本体部
２  モニターパネル部
３  レンズ部
４  撮像素子
５  レンズバリア
６ａ，６ｂ  収音孔
７  保持具
７ａ  輪状部
７ｂ  ベルト
７ｃ  フック部
７ｃ１  ベルト孔
７ｃ２  ブラケット部
７ｃ３  開口部
７ｃ４  凹部
７ｃ５  スライダ
７ｃ５ａ  天面
７ｃ６  コイルばね（付勢手段）
７ｃ７  縁部
７ｄ１，７ｄ２  面ファスナ
７ｋ  基部
７ｐ  パッド部
８  保持具固定部
９  保持具装着部
９ａ  挿入口
９ａ１  リブ
９ｂ  ノブ用孔
９ｃ  当接部
１０  ロックノブ
１０ａ  ノブ部
１０ａ１  ローレット
１０ｂ  ロック片部
１０ｂ１  傾斜部
１０ｂ２  突出片
１０ｂ３  当接面
１１  コイルばね（付勢手段）
５０  ビデオカメラ
５１  電子機器
【図１】
2011107330.tif 000003
【図２】
2011107330.tif 000004
【図３】
2011107330.tif 000005
【図４】
2011107330.tif 000006
【図５】
2011107330.tif 000007
【図６】
2011107330.tif 000008
【図８】
2011107330.tif 000009
【図９】
2011107330.tif 000010
【図７】
2011107330.tif 000011